【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
媒体アクセス制御ヘッダを備えるフレームを含むパケットを生成する方法であって、前記方法は、
トラフィック識別子（ＴＩＤ）を含むフレーム制御フィールドを含む前記媒体アクセス制御ヘッダを生成することと、ここにおいて、前記フレーム制御フィールドは、フレームタイプを示す情報と、プロトコルバージョンを示す情報と、追加のフレームが送信されるべきであるかどうかを示す情報とをさらに記憶し、前記フレーム制御フィールドは、フレームサブタイプを示す情報と、前記パケットが配信システムに送信されることを示す情報と、再送信情報と、順序情報とのうちの少なくとも１つを記憶しない、
前記パケットを送信することとを備える、方法。
【請求項２】
前記フレーム制御フィールドは、前記パケットが前記配信システムから送信されるかどうかを示す情報をさらに記憶する、請求項１に記載の方法。
【請求項３】
前記パケットが前記配信システムから送信されるかどうかを示す前記情報は、配信元システムサブフィールド中に含まれる、請求項２に記載の方法。
【請求項４】
前記フレーム制御フィールドは、電力管理状態を示す情報をさらに記憶する、請求項１に記載の方法。
【請求項５】
前記フレーム制御フィールドは、フレーム保護が存在するかどうかを示す情報をさらに記憶する、請求項１に記載の方法。
【請求項６】
前記フレーム制御フィールドは、宛先アドレスが前記パケット中に存在するかどうかを示す情報をさらに記憶する、請求項１に記載の方法。
【請求項７】
前記フレーム制御フィールドは、サービス期間の終了を示す情報をさらに記憶する、請求項１に記載の方法。
【請求項８】
プロトコルバージョンを示す前記情報は、プロトコルバージョンフィールドを備え、前記プロトコルバージョンフィールドの１つまたは複数の値は、前記トラフィック識別子が前記フレーム制御フィールド中に含まれることを示す、請求項１に記載の方法。
【請求項９】
前記トラフィック識別子は、前記パケット中に含まれるデータユニットのトラフィッククラスを示す、請求項１に記載の方法。
【請求項１０】
前記トラフィック識別子は、拡張分散チャネルアクセス（ＥＤＣＡ）が使用されるか、ハイブリッド協調機能被制御チャネルアクセス（ＨＣＣＡ）が使用されるか、またはハイブリッド調整機能（ＨＣＦ）被制御チャネルアクセス（ＨＣＣＡ）拡張分散チャネルアクセス（ＥＤＣＡ）混合モード（ＨＥＭＭ）が使用されるか、を示す、請求項１に記載の方法。
【請求項１１】
媒体アクセス制御ヘッダを備えるフレームを含むパケットを生成するように構成された装置であって、
トラフィック識別子（ＴＩＤ）を含むフレーム制御フィールドを含む前記媒体アクセス制御ヘッダを生成するための手段と、ここにおいて、前記フレーム制御フィールドは、フレームタイプを示す情報と、プロトコルバージョンを示す情報と、追加のフレームが送信されるべきであるかどうかを示す情報とをさらに記憶し、前記フレーム制御フィールドは、フレームサブタイプを示す情報と、前記パケットが配信システムに送信されることを示す情報と、再送信情報と、順序情報とのうちの少なくとも１つを記憶しない、
前記パケットを送信するための手段とを備える、装置。
【請求項１２】
プロトコルバージョンを示す前記情報は、プロトコルバージョンフィールドを備え、前記プロトコルバージョンフィールドの１つまたは複数の値は、前記トラフィック識別子が前記フレーム制御フィールド中に含まれることを示す、請求項１１に記載の装置。
【請求項１３】
前記トラフィック識別子は、前記パケット中に含まれるデータユニットのトラフィッククラスを示す、請求項１１に記載の装置。
【請求項１４】
前記トラフィック識別子は、拡張分散チャネルアクセス（ＥＤＣＡ）が使用されるか、ハイブリッド協調機能被制御チャネルアクセス（ＨＣＣＡ）が使用されるか、またはハイブリッド調整機能（ＨＣＦ）被制御チャネルアクセス（ＨＣＣＡ）拡張分散チャネルアクセス（ＥＤＣＡ）混合モード（ＨＥＭＭ）が使用されるか、を示す、請求項１１に記載の装置。
【請求項１５】
コンピュータによって実行されたとき、前記コンピュータに、ワイヤレスネットワークにおいて通信する方法を実行させる命令を備えるコンピュータ可読媒体であって、前記方法は、請求項１−１０のうちのいずれか一項に従う、コンピュータ可読媒体。
【手続補正２】
【補正対象書類名】明細書
【補正対象項目名】０１４７
【補正方法】変更
【補正の内容】
【０１４７】
[0160]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
媒体アクセス制御ヘッダを備えるフレームを含むパケットを生成する方法であって、前記方法は、
フレームタイプを示す情報と、プロトコルバージョンを示す情報と、追加のフレームが送信されるべきであるかどうかを示す情報とを記憶するフレーム制御フィールドを含む前記媒体アクセス制御ヘッダを生成することと、ここにおいて、前記フレーム制御フィールドは、フレームサブタイプを示す情報と、前記パケットが配信システムに送信されることを示す情報と、再送信情報と、順序情報とのうちの少なくとも１つを記憶しない、
前記パケットを送信することとを備える、方法。
［Ｃ２］
前記フレーム制御フィールドは、前記パケットが前記配信システムから送信されるかどうかを示す情報をさらに記憶する、Ｃ１に記載の方法。
［Ｃ３］
前記パケットが前記配信システムから送信されるかどうかを示す前記情報は、配信元システムサブフィールド中に含まれる、Ｃ２に記載の方法。
［Ｃ４］
前記フレーム制御フィールドは、電力管理状態を示す情報をさらに記憶する、Ｃ１に記載の方法。
［Ｃ５］
前記フレーム制御フィールドは、追加のフレームが送信されるべきであるかどうかを示す情報をさらに記憶する、Ｃ１に記載の方法。
［Ｃ６］
前記フレーム制御フィールドは、フレーム保護が存在するかどうかを示す情報をさらに記憶する、Ｃ１に記載の方法。
［Ｃ７］
前記フレーム制御フィールドは、宛先アドレスが前記パケット中に存在するかどうかを示す情報をさらに記憶する、Ｃ１に記載の方法。
［Ｃ８］
前記フレーム制御フィールドは、ネットワークサービスセットの識別を示す情報をさらに記憶する、Ｃ１に記載の方法。
［Ｃ９］
ネットワークサービスセットの識別を示す前記情報は、ショートサービスセット識別子サブフィールド中に含まれる、Ｃ８に記載の方法。
［Ｃ１０］
前記ネットワークサービスセットの前記識別は、ショートサービスセット識別子のハッシュを含む、Ｃ８に記載の方法。
［Ｃ１１］
前記フレーム制御フィールドは、サービス期間の終了を示す情報をさらに記憶する、Ｃ１に記載の方法。
［Ｃ１２］
前記フレーム制御フィールドは、前記フレームが再送信されているかどうかを示す再送信情報をさらに記憶する、Ｃ１に記載の方法。
［Ｃ１３］
前記フレーム制御フィールドは、追加のサブフレームが送信されるべきであるかどうかと、逆方向が許可されるかどうかとのうちの１つを示す情報をさらに記憶する、Ｃ１に記載の方法。
［Ｃ１４］
追加のサブフレームが送信されるべきであるかどうかと、逆方向が許可されるかどうかとのうちの１つを示す前記情報は、モア物理プロトコルデータユニット／逆方向許可サブフィールド中に含まれる、Ｃ１３に記載の方法。
［Ｃ１５］
前記フレーム制御フィールドは、アグリゲートサービスデータユニットを示す情報をさらに記憶する、Ｃ１に記載の方法。
［Ｃ１６］
アグリゲートサービスデータユニットを示す前記情報は、アグリゲート媒体アクセス制御レベルサービスデータユニットサブフィールド中に含まれる、Ｃ１５に記載の方法。
［Ｃ１７］
媒体アクセス制御ヘッダを備えるフレームを含むパケットを生成するように構成された装置であって、
フレームタイプを識別する情報と、プロトコルバージョンを示す情報と、追加のフレームが送信されるべきであるかどうかを示す情報とを記憶するフレーム制御フィールドを含む前記媒体アクセス制御ヘッダを生成するように構成されたプロセッサと、ここにおいて、前記フレーム制御フィールドは、フレームサブタイプを示す情報と、前記パケットが送信されるリンクタイプを示す情報と、再送信情報と、順序情報とのうちの少なくとも１つを記憶しない、
前記パケットを送信するように構成された送信機とを備える、装置。
［Ｃ１８］
前記フレーム制御フィールドは、前記パケットが前記配信システムから送信されるかどうかを示す情報をさらに記憶する、Ｃ１７に記載の装置。
［Ｃ１９］
前記パケットが前記配信システムから送信されるかどうかを示す前記情報は、配信元システムサブフィールド中に含まれる、Ｃ１８に記載の装置。
［Ｃ２０］
前記フレーム制御フィールドは、電力管理状態を示す情報をさらに記憶する、Ｃ１７に記載の装置。
［Ｃ２１］
前記フレーム制御フィールドは、追加のフレームが送信されるべきであるかどうかを示す情報をさらに記憶する、Ｃ１７に記載の装置。
［Ｃ２２］
前記フレーム制御フィールドは、フレーム保護が存在するかどうかを示す情報をさらに記憶する、Ｃ１７に記載の装置。
［Ｃ２３］
前記フレーム制御フィールドは、宛先アドレスが前記パケット中に存在するかどうかを示す情報をさらに記憶する、Ｃ１７に記載の装置。
［Ｃ２４］
前記フレーム制御フィールドは、ネットワークサービスセットの識別を示す情報をさらに記憶する、Ｃ１７に記載の装置。
［Ｃ２５］
ネットワークサービスセットの識別を示す前記情報は、ショートサービスセット識別子サブフィールド中に含まれる、Ｃ２４に記載の装置。
［Ｃ２６］
前記ネットワークサービスセットの前記識別は、ショートサービスセット識別子のハッシュを含む、Ｃ２４に記載の装置。
［Ｃ２７］
前記フレーム制御フィールドは、サービス期間の終了を示す情報をさらに記憶する、Ｃ１７に記載の装置。
［Ｃ２８］
前記フレーム制御フィールドは、前記フレームが再送信されているかどうかを示す再送信情報をさらに記憶する、Ｃ１７に記載の装置。
［Ｃ２９］
前記フレーム制御フィールドは、追加のサブフレームが送信されるべきであるかどうかと、逆方向が許可されるかどうかとのうちの１つを示す情報をさらに記憶する、Ｃ１７に記載の装置。
［Ｃ３０］
追加のサブフレームが送信されるべきであるかどうかと、逆方向が許可されるかどうかとのうちの１つを示す前記情報は、モア物理プロトコルデータユニット／逆方向許可サブフィールド中に含まれる、Ｃ２９に記載の装置。
［Ｃ３１］
前記フレーム制御フィールドは、アグリゲートサービスデータユニットを示す情報をさらに記憶する、Ｃ１７に記載の装置。
［Ｃ３２］
アグリゲートサービスデータユニットを示す前記情報は、アグリゲート媒体アクセス制御レベルサービスデータユニットサブフィールド中に含まれる、Ｃ３１に記載の装置。
［Ｃ３３］
媒体アクセス制御ヘッダを備えるフレームを含むパケットを生成するように構成された装置であって、
フレームタイプを示す情報と、プロトコルバージョンを示す情報と、追加のフレームが送信されるべきであるかどうかを示す情報とを記憶するフレーム制御フィールドを含む前記媒体アクセス制御ヘッダを生成するための手段と、ここにおいて、前記フレーム制御フィールドは、フレームサブタイプを示す情報と、前記パケットが配信システムに送信されることを示す情報と、再送信情報と、順序情報とのうちの少なくとも１つを記憶しない、
前記パケットを送信するための手段とを備える、装置。
［Ｃ３４］
前記フレーム制御フィールドは、前記パケットが前記配信システムから送信されるかどうかを示す情報をさらに記憶する、Ｃ３３に記載の装置。
［Ｃ３５］
前記パケットが前記配信システムから送信されるかどうかを示す前記情報は、配信元システムサブフィールド中に含まれる、Ｃ３４に記載の装置。
［Ｃ３６］
前記フレーム制御フィールドは、電力管理状態を示す情報をさらに記憶する、Ｃ３３に記載の装置。
［Ｃ３７］
前記フレーム制御フィールドは、追加のフレームが送信されるべきであるかどうかを示す情報をさらに記憶する、Ｃ３３に記載の装置。
［Ｃ３８］
前記フレーム制御フィールドは、フレーム保護が存在するかどうかを示す情報をさらに記憶する、Ｃ３３に記載の装置。
［Ｃ３９］
前記フレーム制御フィールドは、宛先アドレスが前記パケット中に存在するかどうかを示す情報をさらに記憶する、Ｃ３３に記載の装置。
［Ｃ４０］
前記フレーム制御フィールドは、ネットワークサービスセットの識別を示す情報をさらに記憶する、Ｃ３３に記載の装置。
［Ｃ４１］
ネットワークサービスセットの識別を示す前記情報は、ショートサービスセット識別子サブフィールド中に含まれる、Ｃ４０に記載の装置。
［Ｃ４２］
前記ネットワークサービスセットの前記識別は、ショートサービスセット識別子のハッシュを含む、Ｃ４０に記載の装置。
［Ｃ４３］
前記フレーム制御フィールドは、サービス期間の終了を示す情報をさらに記憶する、Ｃ３３に記載の装置。
［Ｃ４４］
前記フレーム制御フィールドは、前記フレームが再送信されているかどうかを示す再送信情報をさらに記憶する、Ｃ３３に記載の装置。
［Ｃ４５］
前記フレーム制御フィールドは、追加のサブフレームが送信されるべきであるかどうかと、逆方向が許可されるかどうかとのうちの１つを示す情報をさらに記憶する、Ｃ３３に記載の装置。
［Ｃ４６］
追加のサブフレームが送信されるべきであるかどうかと、逆方向が許可されるかどうかとのうちの１つを示す前記情報は、モア物理プロトコルデータユニット／逆方向許可サブフィールド中に含まれる、Ｃ４５に記載の装置。
［Ｃ４７］
前記フレーム制御フィールドは、アグリゲートサービスデータユニットを示す情報をさらに記憶する、Ｃ３３に記載の装置。
［Ｃ４８］
アグリゲートサービスデータユニットを示す前記情報は、アグリゲート媒体アクセス制御レベルサービスデータユニットサブフィールド中に含まれる、Ｃ４７に記載の装置。
［Ｃ４９］
コンピュータによって実行されたとき、前記コンピュータに、ワイヤレスネットワークにおいて通信する方法を実行させる命令を備えるコンピュータ可読媒体であって、前記方法は、
フレームタイプを示す情報と、プロトコルバージョンを示す情報と、追加のフレームが送信されるべきであるかどうかを示す情報とを記憶するフレーム制御フィールドを含む媒体アクセス制御ヘッダを備えるフレームを含むパケットを生成することと、ここにおいて、前記フレーム制御フィールドが、フレームサブタイプを示す情報と、前記パケットが配信システムに送信されることを示す情報と、再送信情報と、順序情報とのうちの少なくとも１つを記憶しない、
前記パケットを送信することとを備える、コンピュータ可読媒体。
［Ｃ５０］
前記フレーム制御フィールドは、前記パケットが前記配信システムから送信されるかどうかを示す情報をさらに記憶する、Ｃ４９に記載のコンピュータ可読媒体。
［Ｃ５１］
前記パケットが前記配信システムから送信されるかどうかを示す前記情報は、配信元システムサブフィールド中に含まれる、Ｃ５０に記載のコンピュータ可読媒体。
［Ｃ５２］
前記フレーム制御フィールドは、電力管理状態を示す情報をさらに記憶する、Ｃ４９に記載のコンピュータ可読媒体。
［Ｃ５３］
前記フレーム制御フィールドは、追加のフレームが送信されるべきであるかどうかを示す情報をさらに記憶する、Ｃ４９に記載のコンピュータ可読媒体。
［Ｃ５４］
前記フレーム制御フィールドは、フレーム保護が存在するかどうかを示す情報をさらに記憶する、Ｃ４９に記載のコンピュータ可読媒体。
［Ｃ５５］
前記フレーム制御フィールドは、宛先アドレスが前記パケット中に存在するかどうかを示す情報をさらに記憶する、Ｃ４９に記載のコンピュータ可読媒体。
［Ｃ５６］
前記フレーム制御フィールドは、ネットワークサービスセットの識別を示す情報をさらに記憶する、Ｃ４９に記載のコンピュータ可読媒体。
［Ｃ５７］
ネットワークサービスセットの識別を示す前記情報は、ショートサービスセット識別子サブフィールド中に含まれる、Ｃ５６に記載のコンピュータ可読媒体。
［Ｃ５８］
前記ネットワークサービスセットの前記識別は、ショートサービスセット識別子のハッシュを含む、Ｃ５６に記載のコンピュータ可読媒体。
［Ｃ５９］
前記フレーム制御フィールドは、サービス期間の終了を示す情報をさらに記憶する、Ｃ４９に記載のコンピュータ可読媒体。
［Ｃ６０］
前記フレーム制御フィールドは、前記フレームが再送信されているかどうかを示す再送信情報をさらに記憶する、Ｃ４９に記載のコンピュータ可読媒体。
［Ｃ６１］
前記フレーム制御フィールドは、追加のサブフレームが送信されるべきであるかどうかと、逆方向が許可されるかどうかとのうちの１つを示す情報をさらに記憶する、Ｃ４９に記載のコンピュータ可読媒体。
［Ｃ６２］
追加のサブフレームが送信されるべきであるかどうかと、逆方向が許可されるかどうかとのうちの１つを示す前記情報は、モア物理プロトコルデータユニット／逆方向許可サブフィールド中に含まれる、Ｃ６１に記載のコンピュータ可読媒体。
［Ｃ６３］
前記フレーム制御フィールドは、アグリゲートサービスデータユニットを示す情報をさらに記憶する、Ｃ４９に記載のコンピュータ可読媒体。
［Ｃ６４］
アグリゲートサービスデータユニットを示す前記情報は、アグリゲート媒体アクセス制御レベルサービスデータユニットサブフィールド中に含まれる、Ｃ６３に記載のコンピュータ可読媒体。